【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
フレーム送信を制御する方法であって、
第1のデバイスにおいて、前記第1のデバイスと少なくとも第2のデバイスとの間の通信セッションに関するフレーム消去率を決定するステップであって、前記フレーム消去率は、ある時間期間にわたって前記第2のデバイスに到達しなかったアクティブフレームの平均数に基づく率に対応する、ステップと、
前記フレーム消去率を消去しきい値と比較するステップであって、前記消去しきい値は、A)ネットワークを介して前記第1のデバイスに通信される信号に基づいて決定されるか、またはB)拡張音声サービス(EVS)規格によって規定される、ステップと、
前記フレーム消去率が前記消去しきい値未満である場合、前記第1のデバイスにおいて、アクティブスピーチフレームを破棄するステップであって、前記アクティブスピーチフレームが、そうでなければ前記第2のデバイスに送信されることになる、ステップと
を含む、方法。
【請求項２】
前記アクティブスピーチフレームを前記破棄するステップが、前記アクティブスピーチフレームの送信をバイパスするステップを含む、請求項1に記載の方法。
【請求項３】
前記フレーム消去率が前記消去しきい値未満である場合、前記フレーム消去率が前記消去しきい値を満たす、請求項1に記載の方法。
【請求項４】
前記フレーム消去率を前記消去しきい値と比較する前に、前記消去しきい値を示す信号をネットワークデバイスから受信するステップをさらに含む、請求項1に記載の方法。
【請求項５】
前記第1のデバイスが前記消去しきい値を示すデータを記憶する、請求項1に記載の方法。
【請求項６】
前記フレーム消去率が前記消去しきい値を満たすとの判定に応じて、特定のアクティブスピーチフレームが前のフレームの部分的なコピーを含むかどうかを判定するステップと、
前記特定のアクティブスピーチフレームが前記前のフレームの前記部分的なコピーを含むとの判定に応じて、前記第2のデバイスに前記前のフレームが送信されたかどうかを判定するステップと
をさらに含む、請求項1に記載の方法。
【請求項７】
前記第2のデバイスに前記前のフレームが送信されなかった場合、前記第2のデバイスに前記特定のアクティブスピーチフレームを送信するステップをさらに含む、請求項6に記載の方法。
【請求項８】
前記第2のデバイスに前記前のフレームが送信された場合、前記特定のアクティブスピーチフレームの第1の臨界値を第1のしきい値と比較し、かつ前記前のフレームの第2の臨界値を第2のしきい値と比較するステップをさらに含む、請求項6に記載の方法。
【請求項９】
前記第1の臨界値が前記第1のしきい値以上である場合、または前記第2の臨界値が前記第2のしきい値以上である場合、前記第2のデバイスに前記特定のアクティブスピーチフレームを送信するステップと、
前記第1の臨界値が前記第1のしきい値未満であり、前記第2の臨界値が前記第2のしきい値未満である場合、前記特定のアクティブスピーチフレームを破棄するステップと
をさらに含む、請求項8に記載の方法。
【請求項１０】
前記特定のアクティブスピーチフレームが前記前のフレームの前記部分的なコピーを含まないとの判定に応じて、前記特定のアクティブスピーチフレームの第1の臨界値が第3のしきい値未満であるかどうかを判定するステップをさらに含む、請求項6に記載の方法。
【請求項１１】
前記特定のアクティブスピーチフレームの前記第1の臨界値が前記第3のしきい値以上である場合、前記第2のデバイスに前記特定のアクティブスピーチフレームを送信するステップをさらに含む、請求項10に記載の方法。
【請求項１２】
前記特定のアクティブスピーチフレームの前記第1の臨界値が前記第3のしきい値未満である場合、前記特定のアクティブスピーチフレームを破棄するステップをさらに含む、請求項10に記載の方法。
【請求項１３】
前記アクティブスピーチフレームを前記破棄するステップが、モバイルデバイスおよび基地局の中の1つを含むデバイス内で実行される、請求項1に記載の方法。
【請求項１４】
前記フレーム消去率が、リアルタイムトランスポートプロトコル(RTP)損失率に対応する、請求項1に記載の方法。
【請求項１５】
前記フレーム消去率を示す信号を前記第2のデバイスから受信するステップをさらに含む、請求項1に記載の方法。
【請求項１６】
前記アクティブスピーチフレームを前記破棄するステップが、前記第1のデバイスにおける電力消費量を低減させる、請求項1に記載の方法。
【請求項１７】
前記アクティブスピーチフレームを前記破棄するステップがネットワーク容量を増大させる、請求項1に記載の方法。
【請求項１８】
装置であって、
第1のデバイスと少なくとも第2のデバイスとの間の通信セッションに関するフレーム消去率を決定するように構成されるレートモニタであって、前記フレーム消去率は、ある時間期間にわたって前記第2のデバイスに到達しなかったアクティブフレームの平均数に基づく率に対応する、レートモニタと、
前記フレーム消去率を消去しきい値と比較するように構成される比較回路であって、前記消去しきい値は、A)ネットワークを介して前記第1のデバイスに通信される信号に基づいて決定されるか、またはB)拡張音声サービス(EVS)規格によって規定される、比較回路と、
前記フレーム消去率が前記消去しきい値未満である場合、アクティブスピーチフレームを破棄するように構成されるアクティブフレーム破棄回路であって、前記アクティブスピーチフレームが、そうでなければ前記第2のデバイスに送信されることになる、アクティブフレーム破棄回路と
を含む、装置。
【請求項１９】
前記第2のデバイスへの前記アクティブスピーチフレームの送信をバイパスするように構成されるトランスミッタをさらに含む、請求項18に記載の装置。
【請求項２０】
前記フレーム消去率が前記消去しきい値未満である場合、前記フレーム消去率が前記消去しきい値を満たす、請求項18に記載の装置。
【請求項２１】
前記フレーム消去率を前記消去しきい値と比較する前に、前記消去しきい値を示す信号をネットワークデバイスから受信するように構成されるレシーバをさらに含む、請求項18に記載の装置。
【請求項２２】
アルゴリズムに基づいて前記消去しきい値を決定するように構成されるスピーチボコーダをさらに含む、請求項18に記載の装置。
【請求項２３】
前記フレーム消去率が前記消去しきい値を満たすとの判定に応じて、特定のアクティブスピーチフレームが前のフレームの部分的なコピーを含むかどうかを判定し、
前記特定のアクティブスピーチフレームが前記前のフレームの前記部分的なコピーを含むとの判定に応じて、前記第2のデバイスに前記前のフレームが送信されたかどうかを判定する
ように構成されるスピーチボコーダをさらに含む、請求項18に記載の装置。
【請求項２４】
前記第2のデバイスに前記前のフレームが送信されなかった場合、前記第2のデバイスに前記特定のアクティブスピーチフレームを送信するように構成されるトランスミッタをさらに含む、請求項23に記載の装置。
【請求項２５】
前記第2のデバイスに前記前のフレームが送信された場合、前記比較回路が、
前記特定のアクティブスピーチフレームの第1の臨界値を第1のしきい値と比較し、
前記前のフレームの第2の臨界値を第2のしきい値と比較する
ようにさらに構成され、
前記スピーチボコーダが、
前記第1の臨界値が前記第1のしきい値以上である場合、または前記第2の臨界値が前記第2のしきい値以上である場合、前記第2のデバイスへの前記特定のアクティブスピーチフレームの送信を開始し、
前記第1の臨界値が前記第1のしきい値未満であり、前記第2の臨界値が前記第2のしきい値未満である場合、前記特定のアクティブスピーチフレームを破棄する
ようにさらに構成される、請求項23に記載の装置。
【請求項２６】
アンテナと、
前記アンテナに結合され、かつ符号化オーディオ信号を受信するように構成されるレシーバと
をさらに含む、請求項18に記載の装置。
【請求項２７】
前記アンテナ、前記レシーバ、前記レートモニタ、前記比較回路、および前記アクティブフレーム破棄回路が、モバイルデバイスまたは基地局内に組み込まれる、請求項26に記載の装置。
【請求項２８】
フレーム送信を制御するための命令を含む、非一時的コンピュータ可読記録媒体であって、前記命令が、プロセッサによって実行されると、
第1のデバイスにおいて、前記第1のデバイスと少なくとも第2のデバイスとの間の通信セッションに関するフレーム消去率を決定することであって、前記フレーム消去率は、ある時間期間にわたって前記第2のデバイスに到達しなかったアクティブフレームの平均数に基づく率に対応する、決定することと、
前記フレーム消去率を消去しきい値と比較することであって、前記消去しきい値は、A)ネットワークを介して前記第1のデバイスに通信される信号に基づいて決定されるか、またはB)拡張音声サービス(EVS)規格によって規定される、比較することと、
前記フレーム消去率が前記消去しきい値未満である場合、前記第1のデバイスにおいて、アクティブスピーチフレームを破棄することであって、前記アクティブスピーチフレームが、そうでなければ前記第2のデバイスに送信されることになる、破棄することと
を含む動作を前記プロセッサに行わせる、非一時的コンピュータ可読記録媒体。
【請求項２９】
前記アクティブスピーチフレームを前記破棄することが、前記アクティブスピーチフレームの送信をバイパスすることを含む、請求項28に記載の非一時的コンピュータ可読記録媒体。
【請求項３０】
装置であって、
第1のデバイスにおいて、第1のデバイスと少なくとも第2のデバイスとの間の通信セッションに関するフレーム消去率を決定するための手段であって、前記フレーム消去率は、ある時間期間にわたって前記第2のデバイスに到達しなかったアクティブフレームの平均数に基づく率に対応する、手段と、
前記フレーム消去率を消去しきい値と比較するための手段であって、前記消去しきい値は、A)ネットワークを介して前記第1のデバイスに通信される信号に基づいて決定されるか、またはB)拡張音声サービス(EVS)規格によって規定される、手段と、
前記フレーム消去率が前記消去しきい値未満である場合、前記第1のデバイスにおいて、アクティブスピーチフレームを破棄するための手段であって、前記アクティブスピーチフレームが、そうでなければ前記第2のデバイスに送信されることになる、手段と
を含む、装置。
【請求項３１】
前記アクティブスピーチフレームの送信をバイパスするための手段をさらに含む、請求項30に記載の装置。